(57)【要約】【課題】複数の機能を備える画像撮影装置において、所定のモード中であっても他の機能を実行可能とすることで、画像撮影装置における操作の利便性を向上させることを目的とする。【解決手段】複数のプログラムを備える画像撮影装置であって、実行されるプログラムを選択するアイコンを備え、撮影状態を判断し（ステップＳ２０５）、前記判断された撮影状態のもとで実行可能なプログラムに対応するアイコンを表示する（ステップＳ２０９）ことを特徴とする。【選択図】  図２
2004266732.tif 000002
【特許請求の範囲】
【請求項１】
複数のプログラムを備える画像撮影装置であって、
実行されるプログラムを選択するプログラム選択手段と、
撮影状態を判断する撮影状態判断手段と、
前記判断された撮影状態のもとで実行可能なプログラムに対応するプログラム選択手段を表示する表示手段と
を備えることを特徴とする画像撮影装置。
【請求項２】
前記表示手段に表示されたプログラム選択手段が選択されることで該プログラムが実行された場合において、所定期間処理指示がない場合に、該プログラムが終了することを特徴とする請求項１に記載の画像撮影装置。
【請求項３】
前記表示手段に表示されたプログラム選択手段が選択されることで該プログラムが実行された場合において、該プログラムを強制的に終了させる手段を更に備えることを特徴とする請求項１に記載の画像撮影装置。
【請求項４】
前記表示手段は、
前記撮影状態判断手段において撮影された画像を表示している状態にあると判断された場合に、前記プログラム選択手段を表示することを特徴とする請求項１に記載の画像撮影装置。
【請求項５】
前記表示手段は、
前記表示されたプログラム選択手段が所定期間選択されなかった場合、該プログラム選択手段の表示を終了することを特徴とする請求項１に記載の画像撮影装置。
【請求項６】
前記プログラムは、音声入力機能を実現するためのプログラムであることを特徴とする請求項１に記載の画像撮影装置。
【請求項７】
前記プログラムは、メール送信機能を実現するためのプログラムであることを特徴とする請求項１に記載の画像撮影装置。
【請求項８】
前記プログラムは、ペン入力機能を実現するためのプログラムであることを特徴とする請求項１に記載の画像撮影装置。
【請求項９】
前記プログラムは、位置情報取得機能を実現するためのプログラムであることを特徴とする請求項１に記載の画像撮影装置。
【請求項１０】
複数のプログラムを備える画像撮影装置における情報処理方法であって、
実行されるプログラムを選択するプログラム選択工程と、
撮影状態を判断する撮影状態判断工程と、
前記判断された撮影状態のもとで実行可能なプログラムに対応するプログラム選択手段を表示する表示工程と
を備えることを特徴とする情報処理方法。
【請求項１１】
前記表示工程において表示されたプログラム選択工程が選択されることで該プログラムが実行された場合において、所定期間処理指示がない場合に、該プログラムが終了することを特徴とする請求項１０に記載の情報処理方法。
【請求項１２】
前記表示工程において表示されたプログラム選択工程が選択されることで該プログラムが実行された場合において、該プログラムを強制的に終了させる工程を更に備えることを特徴とする請求項１０に記載の情報処理方法。
【請求項１３】
前記表示工程は、
前記撮影状態判断工程において撮影された画像を表示している状態にあると判断された場合に、前記プログラム選択工程を表示することを特徴とする請求項１０に記載の情報処理方法。
【請求項１４】
前記表示工程は、
前記表示されたプログラム選択工程が所定期間選択されなかった場合、該プログラム選択工程の表示を終了することを特徴とする請求項１０に記載の情報処理方法。
【請求項１５】
前記プログラムは、音声入力機能を実現するためのプログラムであることを特徴とする請求項１０に記載の情報処理方法。
【請求項１６】
前記プログラムは、メール送信機能を実現するためのプログラムであることを特徴とする請求項１０に記載の情報処理方法。
【請求項１７】
前記プログラムは、ペン入力機能を実現するためのプログラムであることを特徴とする請求項１０に記載の情報処理方法。
【請求項１８】
前記プログラムは、位置情報取得機能を実現するためのプログラムであることを特徴とする請求項１０に記載の情報処理方法。
【請求項１９】
請求項１０乃至１８のいずれかに記載の情報処理方法をコンピュータによって実現させるための制御プログラム。
【請求項２０】
請求項１０乃至１８のいずれかに記載の情報処理方法をコンピュータによって実現させるための制御プログラムを格納した記憶媒体。
【発明の詳細な説明】
【０００１】
【発明の属する技術分野】
本発明は、被写体を撮影し、撮影した画像をデジタル信号で記録するデジタルカメラ等の画像撮影装置に関するものである。
【０００２】
【従来の技術】
近年、銀塩カメラにかわり、デジタルカメラの普及がめざましい。一般にデジタルカメラは、用途に応じた複数の機能を有しており、各機能ごとに設けられたモードを切り替えて使用することが可能である。デジタルカメラのモードは、ファインダーモード、画像撮影モード（静止画撮影モード、動画撮影モード）、再生動作モード等に大別できる。ファインダーモードとは、被写体映像をＬＣＤ表示装置にモニターするモードであり、操作者は当該モードを選択することで、被写体をモニター上で確認することができる。また、画像撮影モードとは、ファインダー状態において、シャッターを押すことで、撮影された被写体画像を所定のフォーマットでメモリ等に保存するモードである。また、再生動作モードとはメモリ等に保存された被写体画像についてのサムネイル画像の一覧を表示し、操作者が選択したサムネイル画像に対応する被写体画像を読み出し、表示するモードであり、過去に撮影した被写体画像を閲覧することが可能である。さらに、再生動作モードにおいては、撮影した被写体画像に音声メモを添付したり、文字を付加したりといった様々な編集機能が提供されている。
【０００３】
【特許文献１】
特開平１０−２２４６８４号公報
【０００４】
【発明が解決しようとする課題】
しかしながら、従来のデジタルカメラにおいては、各機能が独立して動作する仕様となっていた。例えば、操作者が機能モード選択スイッチを操作し、静止画撮影モードを選択した場合には静止画撮影のみを、動画撮影モードを選択したときは動画撮影のみを、再生動作モードにおいて音声メモ記録機能を選択した場合には音声メモのみを、文字入力機能を選択した場合には文字入力のみを行うことができるといったように、各機能が排他的に利用されていた。このため、所望の機能を選択しようとした場合には、操作者は現在実行中の機能を終了させ、機能モード選択スイッチを変更してからでなければ、次の機能を実行させることができず、デジタルカメラの多機能化が進む一方で、操作の利便性が悪化するといった問題があった。
【０００５】
本発明は上記課題に鑑みてなされたものであり、複数の機能を備える画像撮影装置において、所定のモード中であっても他の機能を実行可能とすることで、画像撮影装置における操作の利便性を向上させることを目的とする。
【０００６】
【課題を解決するための手段】
上記の目的を達成するために本発明に係る画像撮影装置は以下のような構成を備える。即ち、
複数のプログラムを備える画像撮影装置であって、
実行されるプログラムを選択するプログラム選択手段と、
撮影状態を判断する撮影状態判断手段と、
前記判断された撮影状態のもとで実行可能なプログラムに対応するプログラム選択手段を表示する表示手段とを備える。
【０００７】
【発明の実施の形態】
【第１の実施形態】
以下、図面を参照して本発明の実施の形態を詳細に説明する。
【０００８】
［画像撮影装置の構成］
図１は、本発明の実施形態にかかる画像撮影装置（例えば、デジタルカメラ）の概略構成を示すブロック図である。図１において、１０は撮影レンズ群、１２はＣＣＤに代表される撮像素子、１４は撮像素子１２に転送クロックおよびシャッタ信号を供給するとともに、撮像素子１２からの画像信号にノイズ除去処理およびゲイン調整処理を行うＣＤＳ／ＡＧＣ回路、およびアナログ画像信号を１０ｂｉｔデジタル信号に変換するＡ／Ｄコンバータなどを具備する撮像素子制御回路である。この回路からは１秒間に３０画面（フレーム）の画像データが、常に出力される。
【０００９】
１５は画像処理回路ＩＣ１６が専用で使用するＳＤＲＡＭやＳＲＡＭ等からなる画像処理専用メモリ、１６は撮像素子制御回路１４からの画像データに、ホワイトバランス調整およびシャッタースピード・絞り制御等の画像処理を行い、  Ｙ・Ｃｂ・Ｃｒフォーマットのデジタル信号に変換して出力したり、撮影画像をＪＰＥＧによる圧縮・伸張を行う画像処理回路ＩＣである。本実施形態では、撮影レンズ群１０、撮像素子１２、撮像素子制御回路１４および画像処理回路ＩＣ１６と画像処理専用メモリ１５からなる部分を、カメラモジュール１７と呼ぶことにする。
【００１０】
１８は画像撮影装置全体を制御するＣＰＵ、２０はＣＰＵ１８の制御プログラムや、フォルダの初期設定などを記憶するＲＯＭ、２１は画像展開エリア、ワークエリア、および一時待避エリア（通常スタックエリアと呼ばれる）を具備するＲＡＭ、２２、２３はＣＦ（コンパクトフラッシュ（登録商標））カードやＳＤカードを挿入するカードコネクタ、２４はＣＦカードやＳＤカード等のメモリカードである。
【００１１】
２５はＧＰＳ位置検出機能プログラムや通信機能プログラムが格納されており、かつ該機能を実行する機能カード、２６は表示駆動回路２８を制御して所望の画像をＬＣＤ表示装置３０に表示させるＬＣＤ制御回路、２７はＬＣＤ制御回路２６によりコントロールされ、表示イメージを展開するＲＡＭ領域であるＶＲＡＭである。
【００１２】
２８はＬＣＤ表示装置３０を駆動する表示駆動回路、２９は座標検出のための検出手段であるデジタイザである。２９はＬＣＤ表示装置３０に積層配置され、ペンや指等で押されたポイントのＸＹ座標をＣＰＵ１８に伝える。デジタイザ２９を使用することで、画像撮影装置の各機能を選択したり、文字入力を行うことができる。３０は電子ビューファインダとなるＬＣＤ表示装置、３１は画像撮影装置に対して操作者が各種設定および電源ＯＮ／ＯＦＦを行うためのキー入力手段、３２は音声入力用のマイク、３３はプリンタに印刷するためのＵＳＢモジュール、３４は半押しと全押しの２段階を検出するシャッタＳＷである。
【００１３】
さらに、３５はＣＰＵ１８から独立して動作し、ＣＰＵ１８からのリクエスト信号に応じて時刻データを転送する、撮影日時や再生日時を取得するためのリアル・タイム・コントローラ（以下、ＲＴＣ）等の計時手段、３６は単３電池やＮｉ−ｃｄ電池等の電源、３７は電源３６から供給される電源を各デバイスが必要とする電圧に変換する電源回路である。
【００１４】
ＣＰＵ１８には、それぞれのデータバスやアドレスバス、およびチップセレクトやリード／ライト信号からなるコントロール信号を介して、ＲＯＭ２０、ＲＡＭ２１、カード２４、画像処理回路ＩＣ１６、ＬＣＤ制御回路２６、デジタイザ２９、シャッタＳＷ３４、ＵＳＢモジュール３３、ＲＴＣ３５がそれぞれ接続されている。
【００１５】
なお、本実施形態にかかる画像撮影装置においては、２つのカードスロット（カードコネクタ２２、２３）のうち、ひとつのカードスロットにはメモリカード、もうひとつのカードスロットには機能カードを挿入するものとして説明する。
【００１６】
［各モードにおけるデータの流れ］
次に上述した構成を備える画像撮影装置における各モード（ファインダーモード、画像撮影モード、再生動作モード）におけるデータの流れについて説明する。画像撮影装置に電源を投入し、画像撮影モードにスイッチが切り替えられると、撮像素子１２、撮像素子制御回路１４を含むカメラモジュール１７を初期化および動作可能な状態にし、撮影時に被写体を確認するための電子ビューファインダーであるＬＣＤ制御回路２６の動作を開始する。
【００１７】
本装置ではファインダーモードと画像撮影モードにおける画像データの読み出し方法を変えることで、駆動周波数を一定にすることができる。ファインダーモードでは、垂直方向のラインデータの読み出しを、全垂直ラインの１／４にすることで、所定の速度（約３０フレーム／秒）で画像データを読み出すことを可能にしている。また、撮影モードにおいては、４フレーム分の時間を使って、ＣＣＤ全体の画素データを読み出す。
【００１８】
まず、ファインダーモードにおけるデータの流れを説明する。撮影レンズ群１０から取り込んだ被写体の光情報を撮像素子１２によって電気信号に変換する処理を行う。変換された電気信号は、２００万画素の撮像素子において１６２０画素×３０５ライン程度の情報量がある。
【００１９】
この変換されたアナログ信号は、撮像素子制御回路１４によるノイズ除去処理およびゲイン処理を経て、１０ビットデジタル信号へＡ／Ｄ変換された後、画像処理回路ＩＣ１６へ送られる。画像処理回路ＩＣ１６では、オートホワイトバランス（ＡＷＢ）、露出制御（ＡＥ）、焦点距離制御（ＡＦ）またはストロボ撮影時の補正などの処理、あるいはＹ・Ｃｂ・Ｃｒ信号（Ｙ−輝度信号、Ｃｂ・Ｃｒ−色差信号）フォーマットへの信号変換などの処理を行う。
【００２０】
上記Ｙ・Ｃｂ・Ｃｒ変換された信号は画像処理回路ＩＣ１６内部において間引きおよび補間処理されることで（ＬＣＤ制御回路２６の入力信号がＮＴＳＣ方式である関係上、１６２０×３０５の総画素を用いることはできないためである）、擬似的に７２０×４８０画素のＹ・Ｃｂ・Ｃｒデータに変換され、ＤＭＡ（ダイレクト・メモリ・アクセス、メモリとメモリ間やメモリと周辺デバイス間を、最小ステップでデータ転送を行うＣＰＵ内の機能）を使用して定常的にＣＰＵ１８に転送され、ＣＰＵ１８によりＬＣＤ制御回路２６に出力される。
【００２１】
受け取ったＹ・Ｃｂ・Ｃｒ信号はＬＣＤ制御回路２６によりＮＴＳＣのコンポジット信号に変換処理された後、表示駆動回路２８を経由し、ＬＣＤ表示装置３０に出力される。このＬＣＤ制御回路２６からの出力信号を受けて、ＬＣＤ表示装置３０による被写体映像の表示が行われる。
【００２２】
以上の処理を撮像素子１２から画像データが出力される３０分の１秒のサイクルで連続的にループすることにより、被写体映像がＬＣＤ表示装置３０上に常にモニタされる。
【００２３】
次に、画像撮影モードにおけるデータの流れについて説明する。操作者は画像を保存するフォルダを再生モードで選択（もしくはカメラ側で自動設定）し、その後画像撮影モードへ機器設定を切り替える。そしてファインダ状態における任意の時点でシャッタＳＷ３４が押された場合、オートホワイトバランス、ＡＥ、ストロボ撮影の場合のストロボ補正など、画像処理回路ＩＣ１６内で制御される各種カメラ設定を現在の設定値でロックし、ＣＰＵ１８および画像処理回路ＩＣ１６における処理の負荷を低減するためにＬＣＤ制御回路２６、ＬＣＤ表示装置３０の動作を停止する。撮影画像としては２００万画素のフル画像が必要である。その為画像処理回路ＩＣ１６は、２００万画素数分のＹ・Ｃｂ・Ｃｒ信号の画像処理を行い、Ｙ・Ｃｂ・Ｃｒ信号のデータをＤＭＡ処理によりＲＡＭ２１中の画像展開エリアへ書き込む。次に画像処理回路ＩＣ１６に内蔵されているＪＰＥＧ圧縮・伸張モジュールにより、このデータにＪＰＥＧ規格に準拠した画像圧縮処理を施した後、任意の番号や日付データ等の数値データをファイル名として付加し、カード２４（フラッシュメモリ、もしくはＣＦカード）の内部に作成された、所定のフォルダ内に書き込む。通常作成されるフォルダは、デジタルカメラのフォルダにおける共通フォーマットである、ＤＰＯＦ等に準拠したフォルダ名がつけられており、同じＣＦカードを他の機種に装着して撮影を行っても、別なフォルダが自動作成され、撮影画像はその別なフォルダに保存される。この後、撮影された画像は、順次そのフォルダに書き込まれる。
【００２４】
次に、撮影画像を再生表示するための再生動作モードにおけるデータの流れについて説明する。電源投入後、画像再生モードにスイッチが切り替えられると、撮影時に被写体を確認するための電子ビューファインダーであるＬＣＤ表示装置３０を起動しデータ待機状態にする。ＣＰＵ１８は、カード２４内のその機器の任意のフォルダ群を表示させ、操作者にフォルダの選択を促す。フォルダの選択後、表示画像ファイルの指定がある場合はその指定画像を全画面に表示するが、指定がない場合は、撮影された日時の古い順から、サムネイル画像（８０×６０画素）による一覧表示できる任意の枚数分の画像の圧縮画像データファイルをカード２４（フラッシュメモリ）から読みだし、ＲＡＭ２１中の画像展開エリアに書き込んだ後、画像の解凍処理、つまりＪＰＥＧ規格に準拠した圧縮データを元データ（Ｙ・Ｃｂ・Ｃｒデータ）へ変換する処理を、画像処理回路ＩＣ１６に内蔵されているＪＰＥＧ圧縮・伸張モジュールを利用して実行し、その復元された元データを、画像処理回路ＩＣ１６経由でＬＣＤ制御回路２６へ出力する。
【００２５】
受け取ったＹ・Ｃｂ・Ｃｒ信号はＬＣＤ制御回路２６によりＮＴＳＣのコンポジット信号に変換処理された後、ＬＣＤ表示装置３０に出力される。このＬＣＤ制御回路２６からの出力信号を受けて、ＬＣＤ表示装置３０による撮影画像の表示が行われる。
【００２６】
また、ＬＣＤ制御回路２６には、ＮＴＳＣのコンポジット信号に、所定の文字列や記号を表示する信号を重ね合わせるオン・スクリーン・ディスプレイ（ＯＳＤ）機能が備えられており、電池残量や各種設定項目を、画像上に表示することが可能になっている。
【００２７】
［画像撮影モードにおける処理の流れ］
次に、上述した３つのモード（ファインダーモード、画像撮影モード、再生動作モード）のうち、画像撮影モードにおける処理の流れについて詳細に説明する。従来の画像撮影装置では、画像撮影モードにおいて撮影された画像（静止画像、動画像）は、一旦メモリに格納され、当該画像を編集（音声メモ付加、文字付加等）しようとした場合には、操作者は再生動作モードに切り替え、当該画像を呼び出した上で編集作業を実行しなければならなかったところ、本発明にかかる画像撮影装置によれば、画像撮影モードにおいて（つまり、モードを切り替えることなく）かかる編集作業を実現することが可能となり、画像撮影モードにおける操作の利便性が向上する。以下に図２乃至図５を用いて画像撮影モード（主に静止画撮影モード）における処理の流れを説明する。
【００２８】
図２は、本実施形態における撮影処理を表すフローチャートである。また、図３は、本実施形態における機能切り替えに関する処理を表すフローチャートである。
【００２９】
図４は、本実施形態における表示画面をあらわす図である。図４において、４１０は静止画撮影画像確認時における表示画面（撮影確認表示）であり、４２０は音声入力用アイコン、４２１はペン入力用アイコン、４２２は位置情報入力用アイコン、４２３はメール送信アイコンである。４１１は、音声入力画面例であり、４２５は音声入力停止アイコン、４２４は音声入力中を表すウインドウである。４２１は動画撮影画像確認時における表示画面である。なお、カードスロットが２つであった場合、ひとつのスロットに主記憶用のメモリカードを挿入し、もうひとつのスロットにＧＰＳカードを挿入すると、ＰＨＳカードや無線ＬＡＮカード等の通信用カードが挿入できなくなり、メール送信アイコン４２３は表示されない。しかし、ＧＰＳカードの代わりに通信用カードを挿入した場合、メール送信アイコン４２３が表示され、位置情報入力アイコン４２２は表示されない。もし、カードスロットが３つあったり、メモリカードを挿入せず、通信用カードとＧＰＳカードを同時に挿入できた場合には、位置情報入力アイコン４２２とメール送信アイコン４２３が同時に表示される（つまり、その時点で実行可能なプログラムのアイコンが表示される）。
【００３０】
図５は、本画像撮影装置の外観図である。図５において、５１０は文字や位置指定のための入力手段であるところのペンである。３１ａキー入力手段中の電源スイッチ、３１ｂはキー入力手段中のモード設定キー、３１ｃはキー入力手段中の決定キーである。
【００３１】
図１、図４および図５を参照しながら、図２および図３のフローチャートに沿って、静止画撮影モードにおける撮影から音声情報入力までの実施形態について説明する。
【００３２】
電源が投入され、操作者が静止画撮影モードを選択すると（ステップＳ２０１）、ＬＣＤ表示装置３０上に、ファインダー画像が表示される（ステップＳ２０２）。操作者は任意の時点で静止画を撮影しようとシャッタＳＷ３４を押下すると（ステップＳ２０３）、シャッタＳＷ３４はＣＰＵ１８に対し半押し状態を示す信号を出力する。ＣＰＵ１８は半押し状態を検出し、その時点で画像処理回路ＩＣ１６に対し、露出・ホワイトバランス・フォーカスを正常な値で固定するようにモードロック指示を出す（ステップＳ２０４）。
【００３３】
続いてＣＰＵ１８はシャッタＳＷ３４からの全押し信号を検出した場合（ステップＳ２０５）、静止画の撮影処理として、画像処理回路ＩＣ１６に対し画像撮影を指示し、撮影終了後に画像処理回路ＩＣ１６から出力されるＪＰＥＧ画像をＲＡＭ２１に格納する（ステップＳ２０６）。ＣＰＵ１８はＲＡＭ２１内に格納されているＪＰＥＧ画像を伸張し、撮影画像確認用の表示データを作成した後、ＬＣＤ制御回路２６に対して出力することで、ＬＣＤ表示装置３０に画像が表示される（ステップＳ２０７）。ＣＰＵ１８は確認画像の表示後、撮影画像に対する追加機能の中から、静止画に対して追加できる機能を選択し（ステップＳ２０８）、選択した機能に対応したアイコン（４２０、４２１、４２２、４２３）を、ＯＳＤ機能を使用して、所定の位置に表示する（ステップＳ２０９参照。なお表示画面例は４１０参照）。つまり、現時点の撮影状態が、撮影後の撮影確認表示状態であると判断された場合には、その時点で実行可能な機能（プログラム）のアイコンが表示される。なお、動画撮影中における撮影画像への追加機能選択は、動画撮影中は常に音声入力状態であることから、音声入力機能は選択されず、また、動画へのペン入力も動画であるがゆえにフレームが更新されつづけるため、選択されない。
【００３４】
ＣＰＵ１８は、アイコン表示後（ステップＳ２０９）、２秒間ペン５１０によるアイコン選択がなければ（ステップＳ２１０）、再びファインダ表示に戻るが（ステップＳ２０２）、この２秒間の間にペン５１０によるアイコンの選択があった場合（ステップＳ２１０）、選択されたそれぞれの追加機能を実行することになる。
【００３５】
音声入力アイコン４２０が選択された場合、図３のフローに基づいて処理される。
【００３６】
操作者が、静止画の撮影確認表示４１０の２秒間の間に、音声入力アイコン４２０を選択した場合、ＣＰＵ１８は撮影確認表示４１０から音声入力用画面４１１に切り替える（ステップＳ３０１）。音声入力画面４１１には、音声入力を終了してファインダー画面に復帰する音声入力停止アイコン４２５と、音声入力期間中をあらわすウインドウ４２４が表示されており、操作者は音声入力を停止したい場合、何も録音せずに５秒間待つか（ステップＳ３０８）、音声入力停止アイコン４２５をペンタッチすることで（ステップＳ３０２）、簡単にファインダ状態に復帰することができる。
【００３７】
ＣＰＵ１８は、表示切替後５秒以内に音声入力用のマイク３２からの入力が所定レベル以上になった場合、音声入力があったものと判断して（ステップＳ３０３）、音声入力処理を開始する（ステップＳ３０４）。音声入力処理は、ＣＰＵ１８がマイク３２から入力されるアナログ信号をＡＤ変換後ＡＤＰＣＭ化し、ＲＡＭ２１に逐次格納する。音声入力が終了した場合、操作者は音声入力停止アイコン４２５をペンタッチすると、ＣＰＵ１８はＲＡＭ２１に格納された音声データをファイル化し、撮影された静止画画像データファイルと関連付け設定を行った後に（ステップＳ３０７）、再びファインダ状態に自動復帰する（ステップＳ３０９）。
【００３８】
以上の説明から明らかなように、本実施形態によれば画像撮影モード中であっても、シャッタＳＷを押下し撮影された画像を表示後（つまり、撮影画像確認状態において）、各種アイコンが表示されるため、操作者は当該アイコンを選択することで、静止画像撮影モードを終了しなくとも他の機能を実行することが可能となり、画像撮影装置における操作の利便性を向上させることが可能となる。さらに、一定時間、アイコン操作等がない場合には、自動的にファインダ状態に復帰するため、操作者は余計な操作を行う必要がない。
【００３９】
【第２の実施形態】
上記第１の実施形態では、静止画撮影モードにおける撮影確認表示から音声情報入力までの一連の動作を説明したが、本実施形態では静止画撮影モードにおける撮影確認表示からペンによるイラスト入力までの一連の動作について説明する。
【００４０】
図６は第２の実施形態におけるフローチャートであり、図７は第２の実施形態における表示例である。
【００４１】
図７において、７１０は、ペン入力用の表示例であり、その中で７２０はペン入力時における色選択ウインドウである。７２１はペン入力停止アイコンであり、７２２は色選択ウインドウ中の選択されている色である。
【００４２】
操作者が、静止画の撮影確認表示４１０の２秒間の間に、ペン入力アイコン４２１を選択した場合、ＣＰＵ１８は撮影確認表示４１０からペン入力用画面７１０に切り替える（ステップＳ６０１）。ペン入力画面７１０には、ペン入力を終了してファインダ状態に復帰するペン入力停止アイコン７２１と、色選択ウインドウ７２０が表示されており、操作者はペン入力を停止したい場合、ペンタッチせずに５秒間待つか（ステップＳ６０８）、ペン入力停止アイコン７２１をペンタッチすることで（ステップＳ６０５）、簡単にファインダ状態に復帰することができる。ＣＰＵ１８は、表示切替後５秒以内にペン５１０による入力があった場合、ペン入力処理を開始する（ステップＳ６０４）。ペン入力処理は、感圧式のデジタイザ２９から出力される座標データをＣＰＵ１８が判断し、その座標に対する位置を演算し、色選択ウインドウ中の選択されている色情報とともにＲＡＭ２１にデータを逐次格納していく。また、その格納された位置・色データから表示座標に対する色情報を演算してＬＣＤ制御回路２６に対して出力することでペン入力情報を表示できる。
【００４３】
ペン入力が終了し、操作者がペン入力停止アイコン７２１をペンタッチすると（ステップＳ６０５）、ＣＰＵ１８はＲＡＭ２１に格納されているペン入力情報をファイル化し（ステップＳ６０６）、撮影された静止画画像データファイルと関連付け設定を行った後に（ステップＳ６０７）、再びファインダ状態に自動復帰する（ステップＳ６０９）。
【００４４】
【第３の実施形態】
上記第１の実施形態では、静止画撮影モードにおける撮影確認表示から音声情報入力までの一連の動作を説明したが、本実施形態では静止画撮影モードにおける撮影確認表示からカードスロットに挿入されているＧＰＳカードを使用した位置情報入力までの一連の動作について説明する。
【００４５】
図８は第３の実施形態におけるフローチャートであり、図９は第３の実施形態における表示例である。
【００４６】
図９において、９１０は位置入力用の表示例であり、その中で９２０は位置入力時における位置候補ウインドウである。９２１は候補地リストウインドウである。９２２は位置入力停止アイコンである。９２３は選択された位置情報である。
【００４７】
操作者が、静止画の撮影確認表示４１０の２秒間の間に、位置入力アイコン４２２を選択した場合、ＣＰＵ１８はカードスロットに挿入されたＧＰＳカードに対し、位置情報の取得コマンドを発行する（ステップＳ８１０）。そのコマンドを受けたＧＰＳカードは、位置情報データをＣＰＵ１８に出力する。ＣＰＵ１８は、ＧＰＳカードから出力される位置情報データを基に、位置情報対応候補地リストの中から、対応する候補地をリストアップし（ステップＳ８１１）、位置入力用表示例９１０を表示する（ステップＳ８１２）。操作者が、候補地リストウインドウの中から任意の候補をペンタッチすることで位置情報入力が終了し（ステップＳ８１３）、ＣＰＵ１８は位置情報入力情報を画面上に埋め込んだ後に、位置情報の埋め込まれた画像９１１を再表示し（ステップＳ８１７）、再びファインダ状態に自動復帰する（ステップＳ８２０）。
【００４８】
位置情報入力画面９１０には、位置情報入力を終了してファインダ画面に復帰する位置情報入力停止アイコン９２２が表示されており、操作者は位置情報入力を停止したい場合、ペンタッチせずに５秒間待つか（ステップＳ８１４）、位置情報入力停止アイコン９２２をペンタッチすることで（ステップＳ８１３）、簡単にファインダ状態に復帰することができる。
【００４９】
【第４の実施形態】
上記第１の実施形態では、静止画撮影モードにおける撮影確認表示から音声情報入力までの一連の動作を説明したが、本実施形態では静止画撮影時における撮影確認表示から、通信カードを利用した撮影画像のメール添付送信までの一連の動作について説明する。
【００５０】
図１０は第４の実施形態におけるフローチャートであり、図１１は第４の実施形態における表示例である。
【００５１】
図１１において、１１１０は静止画の撮影前に設定しておく、メール添付送信用の初期設定画面例であり、その中で１１１４は静止画像の圧縮方式を設定するウインドウであり、１１１５は添付画像のサイズを設定するウインドウであり、１１１６は１１１４で設定された圧縮方式における圧縮率を設定するウインドウであり、１１１７は画像の添付されたメールの送信先アドレス設定ウインドウである。１１１１はメール送信用の表示例であり、その中で１１２０はメール送信アドレス確認ウインドウであり、１１２１はメール送信実行アイコン、１１２２はメール送信停止アイコン、１１２３はメール送信停止アイコンである。１１１２はメール送信確認画面例であり、その中で１１３０はメール送信確認ウインドウである。
【００５２】
操作者が、静止画の撮影確認表示４１０の２秒間の間に、メール送信アイコン４２３を選択した場合、ＣＰＵ１８は撮影確認表示４１０からメール送信用画面１１１１に切り替える（ステップＳ１０１０）。メール送信画面１１１１には、メール送信を終了してファインダ画面に復帰するメール送信停止アイコン１１２２が表示されており、操作者はペン入力を停止したい場合、ペンタッチせずに５秒間待つか（ステップＳ１０１６）、メール送信停止アイコン１１２２をペンタッチすることで（ステップＳ１０１１）、簡単にファインダ状態に復帰することができる。ＣＰＵ１８は表示切替後５秒以内にメール送信実行アイコン１１２１をタッチすることで成立するメール送信指示入力があった場合、メール送信処理を開始する（ステップＳ１０１３）。メール送信処理は、あらかじめ画像の撮影前にメール添付送信用の初期設定画面１１１０で設定しておく送信画像条件（サイズ・圧縮方式・圧縮率等）に基づいてＣＰＵ１８が撮影画像を加工し、通信カードに画像を転送し、送信先アドレス設定ウインドウ１１２０によって指示されたメールアドレスに画像を転送する。転送終了後、ＣＰＵ１８はメール送信確認画面１１１２を２秒間表示し、自動的にファインダ状態に自動復帰する（ステップＳ１０１７）。
【００５３】
【他の実施形態】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００５４】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００５５】
この場合、記憶媒体から読出されたプログラムコード自体が前述した実施形態の機能を実現することになり、そのプログラムコードを記憶した記憶媒体は本発明を構成することになる。
【００５６】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００５７】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５８】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００５９】
【発明の効果】
以上説明したように本発明によれば、複数の機能を備える画像撮影装置において、所定のモード中であっても他の機能を実行可能とすることで、画像撮影装置における操作の利便性を向上させることが可能となる。
【図面の簡単な説明】
【図１】本発明の実施形態に係る画像撮影装置の構成を示すブロック図である。
【図２】本発明の第１の実施形態に係る画像撮影装置における撮影確認表示までの処理をあらわすフローチャートである。
【図３】本発明の第１の実施形態に係る画像撮影装置における音声入力におけるフローチャートである。
【図４】本発明の第１の実施形態に係る画像撮影装置において撮影確認表示状態での表示例を示す図である。
【図５】本発明の実施形態に係る画像撮影装置の本体の外観図である。
【図６】本発明の第２の実施形態に係る画像撮影装置におけるペン入力処理を示すフローチャートである。
【図７】本発明の第２の実施形態に係る画像撮影装置においてペン入力を行う場合の表示例を示す図である。
【図８】本発明の第３の実施形態に係る画像撮影装置における位置入力処理を示すフローチャートである。
【図９】本発明の第３の実施形態に係る画像撮影装置において位置入力を行う場合の表示例を示す図である。
【図１０】本発明の第４の実施形態に係る画像撮影装置におけるメール送信処理を示すフローチャートである。
【図１１】本発明の第４の実施形態に係る画像撮影装置においてメール送信を行う場合の表示例を示す図である。
【図１】
2004266732.tif 000003
【図２】
2004266732.tif 000004
【図３】
2004266732.tif 000005
【図４】
2004266732.tif 000006
【図５】
2004266732.tif 000007
【図６】
2004266732.tif 000008
【図７】
2004266732.tif 000009
【図８】
2004266732.tif 000010
【図９】
2004266732.tif 000011
【図１０】
2004266732.tif 000012
【図１１】
2004266732.tif 000013